(57)【要約】【課題】  新規なＤＭ用ＵＶニス加熱装置及びこれを組み込んだＤＭ作成システムを提供すること【解決手段】  紫外線硬化型（ＵＶ）ニスを使用した圧着型の小冊子形式のＤＭを圧着前に加熱するＵＶニス加熱装置において、前記ＵＶニス加熱装置は、マグネトロンを有するマイクロ波加熱装置であって、前記小冊子を構成する複数の紙面に夫々塗工されたＵＶニスを選択的に均一に加熱する。【選択図】  図５
2011014277.tif 000002
【特許請求の範囲】
【請求項１】
紫外線硬化型（ＵＶ）ニスを使用した圧着型の小冊子形式のＤＭを圧着前に加熱するＵＶニス加熱装置において、
前記ＵＶニス加熱装置は、マグネトロンを有するマイクロ波加熱装置であって、前記小冊子を構成する複数の紙面に夫々塗工されたＵＶニスを選択的に均一に加熱する、ＵＶニス加熱装置。
【請求項２】
請求項１に記載のＵＶニス加熱装置は、更に、
熱風を発生するヒータを備えてマイクロ波加熱とヒータ加熱を併用する、ＵＶニス加熱装置。
【請求項３】
請求項１に記載のＵＶニス加熱装置は、更に、
加湿手段を備え、マイクロ波加熱の前に前記ＵＶニスを塗工した前記小冊子形式のＤＭの圧着面を加湿する、ＵＶニス加熱装置。
【請求項４】
請求項１に記載のＵＶニス加熱装置は、更に、
セラミックス製の敷き板を備え、前記小冊子形式のＤＭを該敷き板の上に設置した状態でマイクロ波加熱を行う、ＵＶニス加熱装置。
【請求項５】
請求項１に記載のＵＶニス加熱装置は、更に、
前記ＵＶニスを塗工した圧着面を加湿する加湿手段と、
セラミックス製の敷き板とを備え、
マイクロ波加熱の前に、前記小冊子形式のＤＭの前記ＵＶニスを塗工した圧着面を加湿し、
前記小冊子形式のＤＭを前記敷き板の上に設置した状態でマイクロ波加熱を行う、ＵＶニス加熱装置。
【請求項６】
紫外線硬化型（ＵＶ）ニスを使用した圧着型の小冊子形式のＤＭの圧着前にＵＶニスを加熱する方法において、
マグネトロンを有するマイクロ波加熱装置を使用して、前記小冊子形式のＤＭを構成する複数の紙面に夫々塗工されたＵＶニスを選択的に均一に加熱する、ＵＶニス加熱方法。
【請求項７】
請求項６に記載のＵＶニスを加熱する方法において、
更に、熱風を発生するヒータを併用して、前記小冊子を周囲からも加熱する、ＵＶニス加熱方法。
【請求項８】
紫外線硬化型（ＵＶ）ニスを使用した圧着型の小冊子形式のＤＭを作成するシステムに於いて、
用紙に印刷する印刷装置と、
前記用紙の圧着面にＵＶニスを塗工するＵＶニス塗工装置と、
ＵＶニスを乾燥するＵＶニス乾燥装置と、
前記用紙の所定の箇所に接着剤を塗布する接着剤塗布装置と、
前記用紙を、紙送り方向に垂直に複数回紙折りする紙折り装置と、
前記用紙を、紙送り方向に沿って１回紙折りする紙折り装置と、
前記用紙を綴じ側から送り込み加圧して、紙面間の空気を追い出すローラ装置と、
紙折りされた前記用紙を所定のサイズに断裁して小冊子にする断裁装置と、
前記小冊子のＵＶニスを加熱する請求項１〜５のいずれか一項に記載のＵＶニス加熱装置と、
加熱された前記小冊子を圧着する圧着装置とを備えた、ＤＭ作成システム。
【請求項９】
紫外線硬化型（ＵＶ）ニスを使用した圧着型の小冊子形式のＤＭを作成する方法に於いて、
用紙に印刷する工程と、
前記用紙の圧着面にＵＶニスを塗工する工程と、
ＵＶニスを乾燥する工程と、
前記用紙の所定の箇所に接着剤を塗布する工程と、
前記用紙を、紙送り方向に垂直に複数回紙折りする工程と、
前記用紙を、紙送り方向に沿って１回紙折りする工程と、
前記用紙を綴じ側から送り込み加圧して、紙面間の空気を追い出す工程と、
紙折りされた前記用紙を所定のサイズに断裁して小冊子にする工程と、
前記小冊子に対し、請求項１〜５のいずれか一項に記載のＵＶニス加熱装置を利用して加熱する工程と、
加熱された前記小冊子を圧着する工程とを含む、方法。
【発明の詳細な説明】
【技術分野】
【０００１】
本発明は、ＤＭ用ＵＶニス加熱装置及びこれを組み込んだＤＭ作成システムに関する。
【背景技術】
【０００２】
近年、ダイレクトメール（ＤＭ）広告の利用は、非常な勢いで増加している。例えば、情報紙面同士が圧着されたシークレット葉書（圧着ハガキ）は、その典型例である。その理由は、２つ折り、３つ折りの紙面構成による情報エリアが大きく、情報の機密性に優れ、配送先での開封率が高く、配送コスト面では官製ハガキと同じである等が挙げられている。
【０００３】
従来、ＤＭ用圧着ハガキは、フィルムや糊によって情報紙面を貼り合わせていた。その主流であったフィルムラミネートは、圧着面の光沢は極めて良好であるが、印刷紙面にフィルムをラミネートする工程は生産性に劣る。更に、ＤＭ利用後の廃棄時には、印刷用紙とフィルムを分別できず、紙の再利用等に関して省資源の面で、焼却するには環境保護の面で問題がある。
【０００４】
糊を使用した圧着ハガキは、フィルムラミネート法よりは生産性が高く、廃棄時には可燃物として処理が可能である。しかし、圧着面の印刷に光沢を出す点で非常に劣り、魅力的なＤＭを作成することが出来ない。
【０００５】
これに対して、紫外線硬化型（ＵＶ）ニスを使用した圧着ハガキは、生産性に優れ、フィルム並みの光沢が得られ、環境にも優しく、今後のＤＭハガキの主流になると考えられる。
【０００６】
他方で、ＤＭ利用者は、情報量に関して一層大量の情報を表示できることを望んでいる。葉書サイズのＤＭでは、２つ折り、３つ折り、往復ハガキタイプと、紙面数の増加が図られている。
【０００７】
ここで、本出願書類では、「紙面」はＤＭの印刷可能な面をいい、「紙面数」は印刷可能な面数をいう。「シート」はＤＭを構成する用紙をいい、「シート枚数」は、（個々に切断されてなくても）例えば、圧着ハガキではハガキサイズ換算の用紙の枚数をいう。従って、通常、「シート」の両面に「紙面」があり、「シート枚数」の２倍が「紙面数」の関係になる。
【０００８】
本発明者等は、以下に説明するような小冊子形式のＤＭをＵＶニスを使用して圧着した先行技術文献の存在を知らない。
【発明の概要】
【発明が解決しようとする課題】
【０００９】
本発明者等は、大量の情報量を記載できる圧着式のＤＭに関して、種々のサイズにおいてシート枚数を最大限に増加する開発を継続している。即ち、ここ数年にわたり、Ａ４サイズ、葉書サイズ等に於いて、シート枚数を６枚、８枚、１０枚、…を実現する生産技術を鋭意検討している。この場合、後述するように、蛇腹形式のＤＭは採用できず、小冊子形式のＤＭを採用することになる。このような紙面枚数多いＤＭを製作する技術に関しては、別途、特許出願の準備を進めている。
【００１０】
しかし、その検討過程で、紙面枚数を増加すると、小冊子形式のＤＭの内部に位置する紙面間（ＤＭの厚さ方向の中間部にあるシート間）では十分に接着力が得られず、その後容易に剥離してしまう問題が生じた。
【課題を解決するための手段】
【００１１】
そこで、本発明は、新規なＤＭ用ＵＶニス加熱装置及びこれを組み込んだＤＭ作成システムを提供することを目的とする。
【００１２】
更に、本発明は、新規なＤＭ用ＵＶニス圧着加工方法及びこれを利用したＤＭ作成方法を提供することを目的とする。
【００１３】
本発明に係る紫外線硬化型（ＵＶ）ニスを使用した圧着型の小冊子形式のＤＭを圧着前に加熱するＵＶニス加熱装置は、前記ＵＶニス加熱装置は、マグネトロンを有するマイクロ波加熱装置であって、前記小冊子を構成する複数の紙面に夫々塗工されたＵＶニスを選択的に均一に加熱する、ＵＶニス加熱装置である。
【００１４】
更に、上記ＵＶニス加熱装置では、更に、熱風を発生するヒータを備えてマイクロ波加熱とヒータ加熱を併用してもよい。
【００１５】
更に、上記ＵＶニス加熱装置では、更に、加湿手段を備え、マイクロ波加熱の前に前記ＵＶニスを塗工した前記小冊子形式のＤＭの圧着面を加湿してもよい。
【００１６】
更に、上記ＵＶニス加熱装置では、更に、セラミックス製の敷き板を備え、前記小冊子形式のＤＭを該敷き板の上に設置した状態でマイクロ波加熱を行ってもよい。
【００１７】
更に、上記ＵＶニス加熱装置では、更に、前記ＵＶニスを塗工した圧着面を加湿する加湿手段と、セラミックス製の敷き板とを備え、マイクロ波加熱の前に、前記小冊子形式のＤＭの前記ＵＶニスを塗工した圧着面を加湿し、前記小冊子形式のＤＭを前記敷き板の上に設置した状態でマイクロ波加熱を行ってもよい。
【００１８】
更に、本発明に係る紫外線硬化型（ＵＶ）ニスを使用した圧着型の小冊子形式のＤＭの圧着前にＵＶニスを加熱する方法は、マグネトロンを有するマイクロ波加熱装置を使用して、前記小冊子形式のＤＭを構成する複数の紙面に夫々塗工されたＵＶニスを選択的に均一に加熱する。
【００１９】
更に、上記ＵＶニスを加熱する方法では、更に、熱風を発生するヒータを併用して、前記小冊子を周囲からも加熱してもよい。
【００２０】
更に、本発明に係る紫外線硬化型（ＵＶ）ニスを使用した圧着型の小冊子形式のＤＭを作成するシステムは、用紙に印刷する印刷装置と、前記用紙の圧着面にＵＶニスを塗工するＵＶニス塗工装置と、ＵＶニスを乾燥するＵＶニス乾燥装置と、前記用紙の所定の箇所に接着剤を塗布する接着剤塗布装置と、前記用紙を、紙送り方向に垂直に複数回紙折りする紙折り装置と、前記用紙を、紙送り方向に沿って１回紙折りする紙折り装置と、前記用紙を綴じ側から送り込み加圧して、紙面間の空気を追い出すローラ装置と、紙折りされた前記用紙を所定のサイズに断裁して小冊子にする断裁装置と、前記小冊子のＵＶニスを加熱する請求項１〜５のいずれか一項に記載のＵＶニス加熱装置と、加熱された前記小冊子を圧着する圧着装置とを備えている。
【００２１】
更に、本発明に係る紫外線硬化型（ＵＶ）ニスを使用した圧着型の小冊子形式のＤＭを作成する方法は、用紙に印刷する工程と、前記用紙の圧着面にＵＶニスを塗工する工程と、ＵＶニスを乾燥する工程と、前記用紙の所定の箇所に接着剤を塗布する工程と、前記用紙を、紙送り方向に垂直に複数回紙折りする工程と、前記用紙を、紙送り方向に沿って１回紙折りする工程と、前記用紙を綴じ側から送り込み加圧して、紙面間の空気を追い出す工程と、紙折りされた前記用紙を所定のサイズに断裁して小冊子にする工程と、前記小冊子に対し、上記いずれかに記載のＵＶニス加熱装置を利用して加熱する工程と、加熱された前記小冊子を圧着する工程とを含む。
【発明の効果】
【００２２】
本発明によれば、新規なＤＭ用ＵＶニス加熱装置及びこれを組み込んだＤＭ作成システムを提供することができる。
【００２３】
更に、本発明によれば、新規なＤＭ用ＵＶニス圧着加工方法及びこれを利用したＤＭ作成方法を提供することができる。
【図面の簡単な説明】
【００２４】
【図１Ａ】図１Ａは、従来の４紙面タイプの圧着ハガキの例を説明する図である。
【図１Ｂ】図１Ｂは、従来の６紙面タイプの圧着ハガキの例を説明する図である。
【図１Ｃ】図１Ｃは、従来の往復タイプの圧着ハガキの例を説明する図である。
【図２】図２は、本出願人が現在開発中のＤＭの一例を説明する図である。
【図３】図３は、ＤＭ用ＵＶニス加熱装置を利用したＤＭ作成工程を説明するフローである。
【図４Ａ】図４Ａは、図２のＤＭの表面側の折り線及び接着剤塗布の箇所を説明する図である。
【図４Ｂ】図４Ｂは、図２のＤＭの裏面側の折り線及び接着剤塗布の箇所を説明する図である。
【図４Ｃ】図４Ｃは、図２のＤＭの紙折り後の状態を示す図である。
【図５】図５は、ＤＭ用ＵＶニス加熱装置を説明する図である。
【図６】図６は、図２のＤＭの加湿方法を説明する図である。
【発明を実施するための形態】
【００２５】
以下、本発明に係るＤＭ用ＵＶニス加熱装置及びこれを組み込んだＤＭ作成システムの実施形態に関して、添付の図面を参照しながら詳細に説明する。なお、図面中、同じ要素に対しては同じ参照符号を付して、重複した説明を省略する。
【００２６】
［従来の圧着ハガキの例］
図１Ａ〜図１Ｃは、従来の圧着ハガキの例を説明する図である。現在、一般に広く使用されている圧着ハガキは、図１Ａに示す４紙面タイプ、図１Ｂに示す６紙面タイプ、図１Ｃに示す往復タイプ等がある。
【００２７】
図１Ａに示す４紙面タイプは、２つ折りの圧着ハガキであり、通常ハガキの２〜３倍の情報量が掲載できる。裏面に情報が透けて見えないように地紋（ベタや絵柄）を入れて、機密性を確保している場合が多い。
【００２８】
図１Ｂに示す６紙面タイプは、３つ折りの圧着ハガキであり、各種通知書等に使用されている。通常ハガキの４〜５倍の情報量が掲載できる。同様に、裏面に地紋を入れている場合が多い。
【００２９】
図１Ｃに示す往復タイプは、往復ハガキ付きの２つ折りタイプの圧着ハガキである。往復ハガキの２倍の情報量が掲載できる。片側を切り取って、返信用ハガキとして利用する。
【００３０】
［現在開発中のＤＭの概要］
更に、情報量を多くするためには、（ｉ）紙面数を増加する、（ｉｉ）紙面サイズを大きくする、（ｉｉｉ）紙面数を増加すると共に紙面サイズを大きくする、のいずれかが必要になってくる。
【００３１】
（ｉ）紙面数を増加するアイデアに関しては、例えば、図１Ｂに示す６紙面タイプの紙面数を更に増加して、８紙面、１０紙面、…として、蛇腹形式にすることが考えられる。蛇腹形式のＤＭでは、紙折り前の印刷用紙の長手方向の辺が非常に長くなり、一般に使用されているサイズの印刷用紙を使用することが出来ない。特殊サイズの印刷用紙は、コスト高となり、一般の利用には適さない。
【００３２】
（ｉｉ）紙面サイズを大きくするアイデアは、簡易に採用可能な良いアイデアである。即ち、ハガキサイズＤＭより大きなＡ４サイズＤＭは、その面積比から、紙面単位で、圧着ハガキの情報量の４倍の情報量を掲載できる。このため、Ａ４サイズＤＭには、ハガキサイズＤＭには掲載が困難な比較的複雑な図面、写真等が掲載できる利点がある。
【００３３】
しかし、ＤＭのサイズに関しては、郵送に必要な料金体系等の他の制約から、特定のサイズ（即ち、ハガキサイズ等）にする必要がある場合がある。
【００３４】
上記（ｉ）で説明したように、蛇腹形式では一般に使用されているサイズの印刷用紙を使用出来なくなるので、本出願人は、「中綴じ」形式でＤＭを作成することを目指している。更に、紙資源の再利用、金属針使用の危険性の観点より、金属針（ステイプラー（ホチキス）の針）を使用せずに、綴じ側の紙面端部を接着剤で綴じる方法を採用している。
【００３５】
サイズに関しては、利用者のニーズに応じて、種々のサイズのＤＭを用意している。代表的には、ハガキサイズとＡ４サイズの２種類である。夫々のサイズにおいて、紙面枚数は８紙面、１０紙面、１２紙面、１４紙面と増加し、現在は１６紙面のＤＭ作成に関する生産技術を開発中である。
【００３６】
図２は、本出願人が現在開発中のＤＭの一例であって、１６紙面から成る小冊子形式のＤＭ１の斜視図である。表紙を紙面番号(1)とし、裏表紙を(16)とする。表紙(1)と同じ表向きの紙面を、順次、紙面番号(3)、(5)、(7)、(9)、(11)、(13)、(15)とする。これに対して、裏表紙である紙面番号(16)と同じ裏向きの紙面を、順次、紙面番号(2)、(4)、(6)、(8)、(10)、(12)、(14)とする。即ち、表紙である紙面番号(1)の裏面は紙面番号(2)であり、(3)の裏面は(4)であり、…(15)の裏面は裏表紙である紙面番号(16)である。
【００３７】
従来の図１Ａ〜１Ｃに示したような圧着ハガキでは、紫外線発生器からの紫外線を紙折り前の状態（展開した状態）の圧着ハガキに照射し、その直後に紙折りし、過熱された状態のまま圧着されている。ＵＶニス乾燥機の紫外線発生器の代表例は、水銀ランプである。
【００３８】
しかし、図２に示すような紙面枚数が多い場合、従来の図１Ａ〜図１Ｃに示したような圧着ハガキで利用している印刷済み用紙に紫外線硬化型（ＵＶ）ニスを塗布し、小冊子状態に製本した後、圧着ハガキ専用のＵＶニス乾燥機を使用して乾燥して圧着しても、内部のシート間では十分な接着力が得られず、容易に剥離してしまうことが判明した。この現象は、ＵＶニス塗工後、数時間〜数日間の時間を経て圧着した場合に顕著であった。
【００３９】
図２の小冊子では、ＵＶ乾燥工程の後に製本工程がある。更に、「ＵＶニス塗工工程及びＵＶニス乾燥工程」と、「紙折り工程、断裁工程及び圧着工程」とを別の場所で行う場合もある。
【００４０】
製本工程後の複数枚のシートが重なった状態の小冊子形式のＤＭ１に対して、通常のヒータを用いて加熱を行っても、ＤＭ１の内部に位置する紙面間（ＤＭの厚さ方向の中間部にあるシート間）のＵＶニスは十分に加熱されない。ＵＶ乾燥工程で使用したＵＶニス乾燥機を再度使用して加熱しても同じである。通常のヒータからの熱線又はＵＶニス乾燥機の紫外線発生器からの紫外線は、紙面(6)と(7)に塗工されたＵＶニス及び紙面(10)と(11)に塗工されたＵＶニスに対して、外側から３枚のシートを介して作用する。同様に、紙面(8)と(9)に塗工されたＵＶニスに対して、外側から４枚のシートを介して作用する。このため、熱線や紫外線はシートを透過する毎に減衰するものと思われる。
【００４１】
圧着ＤＭでは、ＤＭを受け取った者が剥離する時は容易に剥離することができ、郵送途中では安易に剥離しないような接着力が要求される。
【００４２】
接着力の維持する１つの解決策として、圧着前に、複数台のヒータを用意して比較的長い時間加熱する方法がある。しかし、この方法では、加熱工程が長くなり、加熱時間も長くなる。シート枚数が更に多くなった場合には、この方法では根本的な解決策とならない。
【００４３】
［ＤＭ作成工程］
図３は、小冊子形式のＤＭ作成工程を説明するフローである。
【００４４】
先ず、従来の図１Ａ〜１Ｃに示したような圧着ハガキのＤＭ作成工程を説明する。
【００４５】
ステップＳ０１で、用紙に情報が印刷される。ステップＳ０２で、ＵＶニスが塗工される。ステップＳ０３で、ＵＶニスがＵＶニス乾燥機の紫外線で乾燥される。ステップＳ０５で紙折りされ、ステップＳ１０で圧着される。紙折り前の展開した状態のＤＭをＵＶニス乾燥工程（ステップＳ０３）で加熱し、直後に圧着（ステップＳ１０）するので、圧着直前に更に加熱工程を設ける必要がない。
【００４６】
これに対して、本実施形態の小冊子形式のＤＭ１は、次の通りである。
【００４７】
ステップＳ０１で、用紙に印刷がされる。図４Ａに示す小冊子１の表面側及び図４Ｂに示す裏面側の全ての紙面(1)〜(16)が印刷可能な情報面である。
【００４８】
ステップＳ０２で、ＵＶニスが塗工される。図４Ｃに示すように表紙(1)及び裏表紙(16)を除いた、圧着される紙面(2)〜(15)の印刷面にＵＶニスが塗工される。なお、表紙(1)及び裏表紙(16)に対してもＵＶニスを塗工してもよい。
【００４９】
ステップＳ０３で、塗工されたＵＶニスは、通常の紫外線を利用したＵＶニス乾燥装置を利用して、乾燥処理される。紫外線発生器の代表例は、水銀ランプである。
【００５０】
ステップＳ０４で、接着箇所に接着剤が塗布される。図４Ａに示す表面側では、接着剤塗布箇所４及び６に対して接着剤が塗布される。図４Ｂに示す裏面側では、接着剤塗布箇所８に対して接着剤が塗布される。
【００５１】
ステップＳ０５では、縦方向に複数回紙折りがされる。図４Ａに示す第１谷折り線、第２山折り線、第３谷折り線で、紙送り方向に垂直に紙折りがされる。なお、図４Ｂでは、同じ紙折り線が、「谷折り」は「山折り」として、「山折り」は「谷折り」として示されている。
【００５２】
ステップＳ０６で、横方向に１回紙折りがされる。図４Ａ及び４Ｂに示す第４折り線で、紙送り方向に沿った方向で紙折りがされる。図４Ｃは、紙折り後のＤＭ１の状態を示している。
【００５３】
ステップＳ０７で、小冊子形式ＤＭの紙面間の空気の追出しが行われる。具体的には、小冊子形式ＤＭを、相互に押し付けられた回転する２本のローラ間に通して、ＵＶニスを塗工したシート間を加圧する。図２に示す矢印の方向（小冊子ＤＭの綴じ側を先頭）にローラ間に送ることで、加圧して圧着面から空気を追出し、シート間のエアボイドの発生を抑制する。同時に、ステップＳ０５〜Ｓ０６の紙折り部分を加圧し、ステップＳ０４の接着剤塗布部の接着を完全なものとしている。
【００５４】
ステップＳ０８で、所定のサイズに断裁加工される。例えば、ハガキサイズやＡ４サイズに断裁加工される。
【００５５】
ステップＳ０９で、マグネトロンを利用したＵＶニスの加熱処理が行われる。ＵＶニスの加熱処理には、次の４種類の方法がある。
【００５６】
(1) マグネトロンを利用したマイクロ波加熱
マイクロ波加熱に関しては、この後の［マイクロ波加熱装置］の欄でまとめて詳細に説明する。このとき、ヒータを利用した加熱処理を併用してもよい。
【００５７】
(2)ＤＭ１を加湿し、その後、上記(1)のマイクロ波加熱を行う。
【００５８】
図６を参照されたい。マイクロ波加熱は、加熱対象物に含まれる水分の温度を上昇させる。そのため、図６（Ａ）に示すように、搬送装置１６で運ばれる小冊子型ＤＭ１のページをエアー２０で捲りながら展開して霧吹き２２で加湿する。或いは、図６（Ｂ）に示すように、搬送ワイヤ１６ａに吊り下げられた小冊子型ＤＭ１のページをエアー２０で捲りながら展開し霧吹き２２で加湿する。或いは、小冊子型ＤＭ１のページを開いた状態で、多湿空間（例えば、飽和水蒸気空間）に暫時放置して加湿してもよい。
【００５９】
(3)小冊子型ＤＭ１をセラミックス敷き板に設置した状態で、上記(1)のマイクロ波加熱を行う。
【００６０】
図５に示すように、上記(1)のマイクロ波加熱を行う際に、小冊子型ＤＭ１をセラミックス敷き板１５の上に設置して行う。セラミックス敷き板１５は、マイクロ波により高温に加熱されるので、小冊子型ＤＭ１は上方からはマイクロ波照射で加熱され、下方からは高温セラミックス１５により加熱される。
【００６１】
(4)小冊子型ＤＭ１を加湿し、その後、セラミックス敷き板に設置した状態で、上記(1)のマイクロ波加熱を行う。上記(2)と(3)の併用である。
【００６２】
いずれの方法を採用するかは、小冊子型ＤＭ１の用紙の厚さ、紙質、頁数等に依って相違するので、何回かの試行を繰り返して決定される。
【００６３】
ステップＳ１０で、紙面間の圧着を行う。具体的には、小冊子形式ＤＭを、相互に押し付けられた回転する２本のローラ間に通してＵＶニスを塗工したシート間を圧着する。このとき、ローラを加熱して、加熱圧着としてもよい。また、ステップＳ０７で説明したように、小冊子ＤＭの綴じ側を先頭にローラ間に送ることで、圧着面から空気を追出しを一層確実なものとしてもよい。
【００６４】
このように、本実施形態によれば、マグネトロンを利用したＵＶニス加熱工程を設けることで、頁数の多い小冊子形式ＤＭの圧着が可能となる。
【００６５】
［マイクロ波加熱装置］
本発明者等は、圧着前のＤＭ用ＵＶニスを加熱処理するため、種々の実験を繰り返した。その結果、電子レンジを利用して加熱処理すると、極めて良い結果が得られることが分かった。
【００６６】
電子レンジの原理は、マイクロ波加熱である。300ＭＨｚ〜300ＧＨｚの電磁波の発生源として、マグネトロンが使われている。電子レンジは、電磁波の持つエネルギーで、食品などを加熱調理する調理器具である。電子レンジでは食品内部の分子にエネルギーを与え、主として分子運動とイオン運動によって加熱する。このため電磁波が透過するガラスや陶器は直接的には加熱されない。そのため、図２に示すような小冊子形式のＤＭ１では、印刷済み用紙は加熱されず、ＤＭ用ＵＶニスのみが選択的に均一に加熱されるものと思われる。
【００６７】
図５は、圧着前のＤＭ用ＵＶニス加熱装置を説明する図である。ＤＭ用ＵＶニス加熱装置１０は、マイクロ波発生源であるマグネトロン１２と、マグネトロンから発生するマイクロ波を攪拌させるスターラファン１４と、圧着面にＤＭ用ＵＶニスが塗工された小冊子型ＤＭ１を設置するセラミックス製の敷き板１５と、この敷き板を搬送する搬送手段（コンベア）１６とを備えている。更に、必要に応じて、熱風を発生する通常のヒータ１８を備えて、加熱してもよい。
【００６８】
ＤＭ用ＵＶニス加熱装置１０は、装置単体のバッチ式でもよく、一連でＤＭを作成し得るＤＭ作成システムに組み込んだシステムの一部であってもよい。
【００６９】
マグネトロン１２からは、300ＭＨｚ〜300ＧＨｚの電磁波（マイクロ波）を発生する。マイクロ波出力は、0.1〜5ｋＷ程度である。
【００７０】
同時に、熱線を併用してもよい。この場合、赤外線ランプで小冊子型ＤＭ１を照射する。或いは、熱風を併用してもよい。例えば、熱風としてヒータ１８を使用する場合、ヒータ電力は5ｋＷ未満であり、最高温度は100〜140度Ｃに加熱される。
【００７１】
［代替例その他］
以上、本発明に係るＤＭ用ＵＶニス加熱装置及びこれを組み込んだＤＭ作成システムの実施形態に関して説明したが、本発明はこれに限定されない。本実施形態に関して、当業者が容易になしえる追加・削除・変更・改良は、本発明に含まれる。
【００７２】
本発明の技術的範囲は、添付の特許請求の範囲の記載に基づいて定められる。
【符号の説明】
【００７３】
１：小冊子形式のＤＭ，小冊子型ＤＭ、  １２：マグネトロン、  １４：スターラファン、  １６：搬送装置、  １５：セラミックス敷き板，高温セラミックス、  １６ａ：搬送ワイヤ、  １８：ヒータ、  ２０：エアー、  ２２：霧吹き、
【図１Ａ】
2011014277.tif 000003
【図１Ｂ】
2011014277.tif 000004
【図１Ｃ】
2011014277.tif 000005
【図２】
2011014277.tif 000006
【図３】
2011014277.tif 000007
【図４Ａ】
2011014277.tif 000008
【図４Ｂ】
2011014277.tif 000009
【図４Ｃ】
2011014277.tif 000010
【図５】
2011014277.tif 000011
【図６】
2011014277.tif 000012
【手続補正書】
【提出日】平成22年9月27日(2010.9.27)
【手続補正１】
【補正対象書類名】特許請求の範囲
【補正対象項目名】全文
【補正方法】変更
【補正の内容】
【特許請求の範囲】
【請求項１】
紫外線硬化型（ＵＶ）ニスを使用した圧着型の小冊子形式のＤＭを圧着前に加熱するＵＶニス加熱装置において、
前記ＵＶニス加熱装置は、マグネトロンを有するマイクロ波加熱装置であって、前記小冊子を構成する複数の紙面に夫々塗工されたＵＶニスを選択的に均一に加熱する、ＵＶニス加熱装置。
【請求項２】
請求項１に記載のＵＶニス加熱装置は、更に、
熱風を発生するヒータを備えてマイクロ波加熱とヒータ加熱を併用する、ＵＶニス加熱装置。
【請求項３】
請求項１又は２に記載のＵＶニス加熱装置は、更に、
加湿手段を備え、マイクロ波加熱の前に前記ＵＶニスを塗工した前記小冊子形式のＤＭの圧着面を加湿する、ＵＶニス加熱装置。
【請求項４】
請求項１乃至３のいずれかに記載のＵＶニス加熱装置は、更に、
セラミックス製の敷き板を備え、前記小冊子形式のＤＭを該敷き板の上に設置した状態でマイクロ波加熱を行う、ＵＶニス加熱装置。
【請求項５】
請求項１乃至４のいずれかに記載のＵＶニス加熱装置は、更に、
前記ＵＶニスを塗工した圧着面を加湿する加湿手段と、
セラミックス製の敷き板とを備え、
マイクロ波加熱の前に、前記小冊子形式のＤＭの前記ＵＶニスを塗工した圧着面を加湿し、
前記小冊子形式のＤＭを前記敷き板の上に設置した状態でマイクロ波加熱を行う、ＵＶニス加熱装置。
【請求項６】
紫外線硬化型（ＵＶ）ニスを使用した圧着型の小冊子形式のＤＭの圧着前にＵＶニスを加熱する方法において、
マグネトロンを有するマイクロ波加熱装置を使用して、前記小冊子形式のＤＭを構成する複数の紙面に夫々塗工されたＵＶニスを選択的に均一に加熱する、ＵＶニス加熱方法。
【請求項７】
請求項６に記載のＵＶニスを加熱する方法において、
更に、熱風を発生するヒータを併用して、前記小冊子を周囲からも加熱する、ＵＶニス加熱方法。
【請求項８】
紫外線硬化型（ＵＶ）ニスを使用した圧着型の小冊子形式のＤＭを作成するシステムに於いて、
用紙に印刷する印刷装置と、
前記用紙の圧着面にＵＶニスを塗工するＵＶニス塗工装置と、
ＵＶニスを乾燥するＵＶニス乾燥装置と、
前記用紙の所定の箇所に接着剤を塗布する接着剤塗布装置と、
前記用紙を、紙送り方向に垂直に複数回紙折りする紙折り装置と、
前記用紙を、紙送り方向に沿って１回紙折りする紙折り装置と、
前記用紙を綴じ側から送り込み加圧して、紙面間の空気を追い出すローラ装置と、
紙折りされた前記用紙を所定のサイズに断裁して小冊子にする断裁装置と、
前記小冊子のＵＶニスを加熱する請求項１〜５のいずれか一項に記載のＵＶニス加熱装置と、
加熱された前記小冊子を圧着する圧着装置とを備えた、ＤＭ作成システム。
【請求項９】
紫外線硬化型（ＵＶ）ニスを使用した圧着型の小冊子形式のＤＭを作成する方法に於いて、
用紙に印刷する工程と、
前記用紙の圧着面にＵＶニスを塗工する工程と、
ＵＶニスを乾燥する工程と、
前記用紙の所定の箇所に接着剤を塗布する工程と、
前記用紙を、紙送り方向に垂直に複数回紙折りする工程と、
前記用紙を、紙送り方向に沿って１回紙折りする工程と、
前記用紙を綴じ側から送り込み加圧して、紙面間の空気を追い出す工程と、
紙折りされた前記用紙を所定のサイズに断裁して小冊子にする工程と、
前記小冊子に対し、請求項１〜５のいずれか一項に記載のＵＶニス加熱装置を利用して加熱する工程と、
加熱された前記小冊子を圧着する工程とを含む、方法。